(57)【特許請求の範囲】
【請求項１】
前面部に開口部を有するボックス本体と、前記開口部を閉止する蓋体とで構成され、
前記ボックス本体は、
その開口部の上縁部には、前記蓋体を回動自在に保持する支軸を有する蓋装着部が形成され、
その下部の前縁側には、前記蓋体を閉方向にガイドしながら上方に持上げる上り傾斜面が形成されるとともに、前記上り傾斜面の後端上面に係合突部を有し、前記係合突部の背後に、段部を介して、ボックス本体の開口部側に向けて連続して形成された下り傾斜面を有し、
前記蓋体は、
その上縁部には、前記支軸と係合し、かつ前記支軸と係合状態で上下方向に移動可能とする支軸保持部が形成され、
その下部底面部には、前記ボックス本体の係合突部と係脱する係合部が形成されていること
を特徴とする収容ボックス。
【請求項２】
前記蓋体における支軸保持部は、
その上縁部に、前記支軸を上下方向に移動可能とする空隙部が形成されていること
を特徴とする請求項１に記載の収容ボックス。
【請求項３】
前記蓋体における前記空隙部は、
縦方向の長さが、前記ボックス本体に形成される前記係合突部の高さよりも長いこと
とからなること
を特徴とする請求項２に記載の収容ボックス。
【発明の詳細な説明】
【技術分野】
【０００１】
この発明は、収容ボックスに関するものである。
より詳しくは、計器類、特に水道メータなどの収容ボックスにおいて、開閉機構が簡単であって、しかも収容ボックスの開口部を確実に閉止することができる収容ボックスに関するものである。
【背景技術】
【０００２】
従来、水道の検針用メータ（水道メータ）や、散水栓などの計器類を収容する収容ボックスがある。
このような収容ボックスとしては、地中に埋設するタイプのものが一般的であるが、地域によっては、住宅などの外壁面に埋設するタイプのものがある。
【０００３】
例えば、特開２００１−１０８５０５号公報（特許文献１）では、凍結による水道メータの故障を防止でき、長期の機械的安定性を保証でき、しかも住宅外観とよく調和させ得る水道メータボックスが提案されている。
【０００４】
この特許文献１に記載の水道メータボックスは、前面に扉を有し、コンクリート壁の前面に埋め込まれたボックスの内部に水道メータが収容されるもので、長繊維で補強された独立気泡の合成樹脂発泡板により製作されていることを特徴とするものである。
【０００５】
さらに、実用新案登録第３１２１０１２号公報（特許文献２）では、メータの交換作業性がよく、検診時などに発見し易い水道用量水容器が提案されている。
【０００６】
この特許文献２に記載の水道用量水容器は、容器本体と、この容器本体に開閉自在に取り付けられた蓋とを有し、前記容器本体には、壁面取付部が設けられていることを特徴とするものである。
【０００７】
なお、前面に扉を有する収容ボックスの他の例として、特開２００４−２４５２４号公報（特許文献３）では、取出し扉は簡単には開かないように構成されたもので、郵便物の盗難の抑止を図ることができる、郵便ポストが提案されている。
【０００８】
この特許文献３に記載の郵便ポストは、投函された郵便物を内部に収容する箱状の本体部を有し、この本体部に郵便物を取り出す取出口を形成し、この取出口を開閉自在にする取出し扉の上端部を、本体部に上下回転自在に軸支してなるものである。
より具体的には、前記取出し扉の内面下端に、内方に突出する突起部を幅方向に部分的に設けるとともに、前記本体部の底壁に、突起部が係止する突起受け部を幅方向に部分的に設け、もって幅方向にスライドさせた取出し扉の突起部が、突起受け部に対応する位置からずれるように、取出し扉を幅方向に移動自在にしたものである。
【先行技術文献】
【特許文献】
【０００９】
【特許文献１】特開２００１−１０８５０５号公報（特許請求の範囲，図１，３）
【特許文献２】実用新案登録第３１２１０１２号公報（実用新案登録請求の範囲，図１）
【特許文献３】特開２００４−２４５２４号公報（特許請求の範囲，図１，２）
【発明の開示】
【発明が解決しようとする課題】
【００１０】
従来の計器用の収容ボックスは、その開閉機構が簡易なものでなく、蓋体を確実に閉状態に維持することにおいて十分とは言い得ない。
さらに、内容物を取り出し後の蓋体の閉め忘れや、風の影響などによって容易に蓋体が開いたり、開いた状態で風によってバタつき、場合によっては、蓋体がボックス本体から外れて破損するという問題があった。
【００１１】
この発明はかかる現状に鑑み、計器類を内蔵するボックス本体の開口部を形成する蓋体の構成を簡易にするとともに、その開閉操作をきわめて容易にし、しかも、閉じた蓋体の開口部を確実に閉止状態で維持することのできる収容ボックスを提供せんとするものである。
【課題を解決するための手段】
【００１２】
すなわち、この発明にかかる請求項１に記載の発明は、
前面部に開口部を有するボックス本体と、前記開口部を閉止する蓋体とで構成され、
前記ボックス本体は、
その開口部の上縁部には、前記蓋体を回動自在に保持する支軸を有する蓋装着部が形成され、
その下部の前縁側には、前記蓋体を閉方向にガイドしながら上方に持上げる上り傾斜面が形成されるとともに、前記上り傾斜面の後端上面に係合突部を有し、前記係合突部の背後に、段部を介して、ボックス本体の開口部側に向けて連続して形成された下り傾斜面を有し、
前記蓋体は、
その上縁部には、前記支軸と係合し、かつ前記支軸と係合状態で上下方向に移動可能とする支軸保持部が形成され、
その下部底面部には、前記ボックス本体の係合突部と係脱する係合部が形成されていること
を特徴とする収容ボックスである。
【００１３】
この発明の請求項２に記載の発明は、
請求項１に記載の収容ボックスにおいて、
前記蓋体における支軸保持部は、
その上縁部に、前記支軸を上下方向に移動可能とする空隙部が形成されていること
を特徴とするものである。
【００１４】
この発明の請求項３に記載の発明は、
請求項２に記載の収容ボックスにおいて、
前記蓋体における前記空隙部は、
縦方向の長さが、前記ボックス本体に形成される前記係合突部の高さよりも長いこと
を特徴とするものである。
【発明の効果】
【００１５】
この発明の収容ボックスは、前面が開口するボックス本体と、前記開口部を開閉する蓋体とで構成するに際し、前記ボックス本体には、その開口部の下部前縁側に、蓋体を閉まる方向にガイドする上る傾斜面を形成し、前記蓋体は、その上縁部に、前記支軸と係合し、かつ前記支軸と係合状態で上下方向に移動可能とする支軸保持部を形成している。
したがって、蓋体を閉めるに際し、蓋体を前記傾斜面に沿って当接させながら、前記ボックス本体の開口部側に移動させることによって、当該蓋体は自動的に上方に持上げられながら移動するので、蓋体の開閉操作を簡単かつ容易に行うことができる。
【００１６】
さらに、前記収容ボックスは、前記ボックス本体側に係合突部が、蓋体側に前記係合突部と係合する係合部が形成されているので、前記蓋体によって開口部が閉止された状態にある場合には、前記係合突部と係合部とが係合するので、収容ボックスの開口部を確実に閉止することができる。
したがって、蓋体が風によって容易に開くことがなく、バタつくこともない。
【図面の簡単な説明】
【００１７】
【図１】この発明の収容ボックスの一実施形態を示す斜視図である。
【図２】この発明の収容ボックスを構成する蓋体を分離した状態を示す概略説明図である。
【図３】図１に示した収容ボックスの正面図である。
【図４】図３のＡ−Ａ断面図である。
【図５】図３に示す蓋体が開いた状態を示す断面図である。
【図６】この発明の収容ボックスの要部の拡大断面図である。
【発明を実施するための形態】
【００１８】
以下、この発明にかかる収容ボックスの実施の形態を、添付の図面に基づいて具体的に説明する。
なお、この発明の収容ボックスは、図示の実施例に限定されるものではなく、発明の要旨を変更しない範囲内で改良を加えることができるものである。
【００１９】
この発明にかかる収容ボックス１は、図１に示すように、ボックス本体２と蓋体１０とから構成されるものである。
なお、この実施例においては、前記収容ボックス１はＦＲＰ製であるが、素材については特段の制限はないので、他の樹脂素材や金属素材（例えばステンレス）などで構成してもよい。
【００２０】
前記ボックス本体２は、検針用メータや散水栓など、何らかの機能を有する機械や電気機器などの計器類を納めるもので、所要の大きさの箱体の前面に開口部２ａを有するものである。
前記開口部２ａは、図２で明らかなように、その上縁部には、左右一対の所要の深さの切欠きからなる蓋装着部３，３が形成されるとともに、各蓋装着部３，３内にはそれぞれ支軸４，４が設けられている。
この支軸４，４を介して、前記ボックス本体２の前記開口部２ａに、前記蓋体１０が上下方向に移動可能であって、かつ回動可能に取り付けられる。
【００２１】
前記ボックス本体２の開口部２ａの下部前縁部は、前記開口部２ａを閉止するため、後述するように、前記蓋体１０を、前記支軸４，４を介して下方に回動させる場合、前記蓋体１０の先端部を上方に持上げた状態でスムーズに回動させるため、図６で明らかなように、前記ボックス本体２の開口部２ａの下方前縁部に、前記蓋体１０が閉じる方向に上り傾斜させた弧状の傾斜面２ｂが形成されている。
【００２２】
さらに、前記下部前縁部には、閉止状態において蓋体１０が不用意に開かないようにするため、図６に示すように、前記傾斜面２ｂの頂部に、前記蓋体１０を固定するための係合突部５，５が形成されている。
なお、前記開口部２ａの下部の前板７のほぼ中央部には、前記開口部２ａに装着される蓋体１０の下端部を、上方に持ち上げるための切欠きからなる指挿入部６が形成されている。
【００２３】
前記ボックス本体２の開口部２ａに形成された前記係合突部５は、その背後に段部８を介して、前記ボックス本体２の開口部２ａ側に向けて下り傾斜面９を連続して形成することによって、前記蓋体１０の開放に際しては、蓋体１０を上方に持上げて行うため、蓋体１０の下部後縁側がボックス本体２の開口縁部と当接することがないので、両者間に摩擦が発生することがない。
その結果、蓋体１０をスムーズに開けることができる。
【００２４】
一方、前記下り傾斜面９は、前記蓋体１０の開方向に対して上り傾斜となるので、蓋体１０の閉止に際しては、前記下り傾斜面９に蓋体１０の底面部が当接し、両者間での摩擦が大きくなるため、風による影響を受けても、摩擦抵抗によって容易に開くことを阻止することができる。
【００２５】
さらに、前記蓋体１０は、図４に示すように、上縁端には、前記ボックス本体２の蓋装着部３，３の支軸４，４に係着させるため、支軸保持部１１，１１が、前記蓋装着部３，３に対応して形成されている。
【００２６】
前記支軸保持部１１は、前記ボックス本体２の蓋装着部３，３と相対して設けられたもので、前記蓋体１０を上方に押し上げることができ、かつ蓋体１０の上下方向への移動に際して、前記支軸４も上下方向に移動可能なように空隙部１２ａが形成されている。
その結果、前記蓋体１０が閉状態においては、前記支軸４は前記空隙部１２の上方側に位置し、開状態においては、持上げられた蓋体１０に追従して支軸４が空隙部１２の下方側に移動するものである。
【００２７】
なお、この実施例においては、前記空隙部１２は、前記蓋体１０の開閉が困難とならないよう、その上方側に前記支軸４が位置しているときに、支軸４の下端から空隙部１２の下端までの長さが、前記傾斜面９から前記係合突部５の先端までの高さよりも大きくなるよう構成している。
【００２８】
したがって、前記蓋体１０を開く際には、前記蓋体１０に付設した指掛部１３を利用して上方に持上げると、前記空隙部１２ａ内の下部に前記支軸４，４が上方に移動し、前記支軸４を支点として、蓋体１０をスムーズに上方に回動させることができる。
【００２９】
さらに、前記蓋体１０は、図４〜図６に示すように、その下縁部の底面に、前記ボックス本体２の開口部２ａの下縁部に形成された係合突部５，５と係合する係合部１４，１４が形成されている。
したがって、前記ボックス本体２の開口部２ａを蓋体１０で閉止した場合、前記ボックス本体２の係合突部５と、前記蓋体１０の係合部１４とが係着することによって、前記開口部２ａを確実に閉止保持することができる。
前記蓋体１０の開口に際しては、蓋体１０に形成した指掛部１３を上方に持ち上げることによって、前記係合突部５と係合部１４の係着は簡単に解除することができる。
【００３０】
なお、前記蓋体１０とボックス本体２を係合させる支軸４は、この実施例において、断面Ｄ字状に形成されているので、前記蓋体１０は、その回動に際して、前記ボックス本体２から外れ難くなる。
前記支軸４としては、真円状のものや、特許第４２６０６６４号公報に記載されている楕円形状のものなど、公知の形状のものを使用することができる。
【００３１】
かかる構成からなる収容ボックス１は、前記ボックス本体２の開口部２ａを覆う蓋体１０を開口するに際し、まず、その前面部に設けた指挿入部６に指先を挿入したのち、前記蓋体１０に付設した指掛部１３を上方に持上げるようにして、前記蓋体１０の係合部とボックス本体の係合突部５の係着を解除したのち、蓋体１０を回動させる。
前記蓋体１０の持上げ操作によって、前記支軸保持部１１の空隙部１２内の上端に位置する支軸４は、徐々に空隙部１２内の下方に移動し、その位置において蓋体１０が支軸４を支点として回動する。
したがって、前記支軸保持部１１から支軸４を離脱させることなく、前記支軸４を支点として蓋体１０をスムーズに上方に持上げて回動させることができる。
【００３２】
一方、前記蓋体１０を閉止するに際しては、前記支軸４を支点として蓋体１０の先端部を下方に移動させると、その移動に追従して前記支軸４は、支軸保持部１１の空隙部１２の上端側に移動するので、蓋体１０をスムーズに閉じることができる。
【００３３】
具体的には、前記蓋体１０は、その底面部の先端が、前記ボックス本体２ａの下部の前縁部に形成された傾斜面２ｂに沿って開口部２ａ側に進むにつれて、前記支軸保持部１１の空隙部１２内の下端に位置していた支軸４が、徐々に空隙部１２内の上方に移動するので、スムーズに上方に持上げられ、回動し、開口部２ａが容易に閉止される。
同時に、前記前縁部に形成された傾斜面２ｂの頂部に設けられた係合突部５と、蓋体１０の下部底面に形成された係合部１４が互いに係着し、確実に閉状態が固定される。
したがって、一旦閉止された蓋体１０は、風などによって不用意に開くことがなく、開いた状態でバタバタ回動することもない。
【００３４】
なお、この実施例においては、前記ボックス本体２ａの略中央部に、内部方向に所要の大きさの指掛部１３を形成するとともに、蓋体１０の下端の、前記指掛部１３に対応する位置に、指挿入部６を形成しているので、この指挿入部６を利用して、蓋体１０の開閉を容易に行うことができるような構成としている。
【産業上の利用可能性】
【００３５】
この発明にかかる収容ボックスは、開閉機構が複雑でなく、開口を容易かつ確実に閉止することができるので、計器類、特に水道メータを収容するための収容ボックスとして幅広く利用されるものである。
【符号の説明】
【００３６】
１        収容ボックス
２        ボックス本体
２ａ      開口部
２ｂ      上り傾斜面
３        蓋装着部
４        支軸
５        係合突部
６        指挿入部
７        ボックス本体の前板
８        段部
９        下り傾斜面
１０      蓋体
１１      支軸保持部
１２      空隙部
１３      ボックス本体の指掛部
１４      係合部
【図１】
0006568377.tif 000002
【図２】
0006568377.tif 000003
【図３】
0006568377.tif 000004
【図４】
0006568377.tif 000005
【図５】
0006568377.tif 000006
【図６】
0006568377.tif 000007